【手続補正書】
【提出日】平成18年11月10日(2006.11.10)
【手続補正１】
【補正対象書類名】明細書
【補正対象項目名】０００５
【補正方法】変更
【補正の内容】
【０００５】
図１に示されるように、一般的なＰＤＰ１０は、ｎ本のＸ電極１１とＹ電極１２（Ｙ１〜Ｙｎ）とを隣接して交互に配置して、ｎ組のＸ電極１１とＹ電極１２の組を形成し、各組のＸ電極１１とＹ電極１２の間で表示のための発光を行う。Ｙ電極とＸ電極は表示電極と呼ばれるが、維持電極またはサステイン電極とも呼ばれることもある。ｍ本のアドレス電極１３（Ａ１〜Ａｍ）は、表示電極と垂直な方向に設けられ、各アドレス電極１３とＸ電極１１およびＹ電極１２の各組との交点部分にそれぞれ表示セルが形成される。
【手続補正２】
【補正対象書類名】明細書
【補正対象項目名】００８５
【補正方法】変更
【補正の内容】
【００８５】
（付記１）  入力端子と、
該入力端子から入力された入力信号のフロントエッジを遅延させるフロントエッジ遅延回路と、
前記入力信号のバックエッジを遅延させるバックエッジ遅延回路と、
前記フロントエッジ遅延回路および前記バックエッジ遅延回路を介して得られる駆動制御信号を増幅する増幅回路と、
該増幅回路によって駆動される出力スイッチ素子とを備える容量性負荷駆動回路であって、
前記フロントエッジ遅延回路は、第１の抵抗および第１の容量をから成る第１の時定数回路を備え、
前記バックエッジ遅延回路は、第２の抵抗および第２の容量から成る第２の時定数回路を備え、
前記駆動制御信号は、前記第１の時定数回路の出力信号および前記第２の時定数回路の出力信号を合成する信号合成回路により生成されることを特徴とする容量性負荷駆動回路。
（付記２）  付記１に記載の容量性負荷駆動回路において、前記第１の時定数回路および前記第２の時定数回路のいずれか一方、または、両方の前段にバッファ回路を設けたことを特徴とする容量性負荷駆動回路。
（付記３）  付記１に記載の容量性負荷駆動回路において、前記信号合成回路はＡＮＤゲートであることを特徴とする容量性負荷駆動回路。
【手続補正３】
【補正対象書類名】明細書
【補正対象項目名】００８６
【補正方法】変更
【補正の内容】
【００８６】
（付記４）  付記１に記載の容量性負荷駆動回路において、前記第１の時定数回路における前記第１の抵抗の値を調整することによってフロントエッジの遅延時間を調整し、且つ、前記第２の時定数回路における前記第２の抵抗の値を調整することによってバックエッジの遅延時間を調整することを特徴とする容量性負荷駆動回路。
（付記５）  付記１に記載の容量性負荷駆動回路において、前記第１の時定数回路における前記第１の容量の値を調整することによってフロントエッジの遅延時間を調整し、且つ、前記第２の時定数回路における前記第２の容量の値を調整することによってバックエッジの遅延時間を調整することを特徴とする容量性負荷駆動回路。
【手続補正４】
【補正対象書類名】明細書
【補正対象項目名】００８７
【補正方法】変更
【補正の内容】
【００８７】
（付記６）  表示手段となる容量性負荷に対して所定電圧を印加するマトリクス型平面表示装置の駆動回路であって、
前記容量性負荷の一端に第１の電位を供給するための第１の信号ラインと、
該第１の信号ラインへ前記第１の電位を供給するための第１のスイッチ素子と、
該第１のスイッチ素子を駆動するための第１のドライブ回路と、
前記第１の信号ラインへ第２の電位を供給するための第２のスイッチ素子と
該第２のスイッチ素子を駆動するための第２のドライブ回路と、
前記容量性負荷の一端に前記第１の電位とは異なる第３の電位を供給するための第２の信号ラインと、
前記第１の信号ラインと前記第２の信号ラインとの間に接続され、前記第１および第２の電位よりも低い電位を該第１の信号ラインに供給可能な第１のコンデンサと、
前記第２の信号ラインに前記第２の電位を供給するための第３のスイッチ素子と、
該第３のスイッチ素子を駆動するための第３のドライブ回路と、
前記第１の信号ラインを前記容量性負荷の一端に接続するための第４のスイッチ素子と、
該第４のスイッチ素子を駆動するための第４のドライブ回路と、
前記第２の信号ラインを前記容量性負荷の一端に接続するための第５のスイッチ素子と、
該第５のスイッチ素子を駆動するための第５のドライブ回路と、
前記第１の信号ラインおよび前記第２の信号ラインの少なくとも一方と前記第２の電位を供給する供給ラインとの間に接続されたコイル回路とを備え、さらに、
前記第１〜第５のドライブ回路のいずれかのドライブ回路の前段に対して、
入力端子と、
該入力端子から入力された入力信号のフロントエッジを遅延させるフロントエッジ遅延回路と、
前記入力信号のバックエッジを遅延させるバックエッジ遅延回路とを設けたことを特徴とする容量性負荷駆動回路。
（付記７）  付記６に記載の容量性負荷駆動回路において、前記第１のドライブ回路の前段に対して、
入力端子と、
該入力端子から入力された入力信号のフロントエッジを遅延させるフロントエッジ遅延回路と、
前記入力信号のバックエッジを遅延させるバックエッジ遅延回路とを設けたことを特徴とする容量性負荷駆動回路。
【手続補正５】
【補正対象書類名】明細書
【補正対象項目名】００８８
【補正方法】変更
【補正の内容】
【００８８】
（付記８）  付記７に記載の容量性負荷駆動回路において、さらに、前記第２のドライブ回路の前段に対して、
入力端子と、
該入力端子から入力された入力信号のフロントエッジを遅延させるフロントエッジ遅延回路とを設けたことを特徴とする容量性負荷駆動回路。
【手続補正６】
【補正対象書類名】明細書
【補正対象項目名】００８９
【補正方法】変更
【補正の内容】
【００８９】
（付記９）  付記７に記載の容量性負荷駆動回路において、さらに、前記第５のドライブ回路の前段に対して、
入力端子と、
該入力端子から入力された入力信号のフロントエッジを遅延させるフロントエッジ遅延回路とを設け、且つ、
前記第２および第４のドライブ回路の前段に対して、
入力端子と、
該入力端子から入力された入力信号のフロントエッジを遅延させるフロントエッジ遅延回路とを設けたことを特徴とする容量性負荷駆動回路。
【手続補正７】
【補正対象書類名】明細書
【補正対象項目名】００９０
【補正方法】変更
【補正の内容】
【００９０】
（付記１０）  付記６に記載の容量性負荷駆動回路において、前記第３のスイッチ素子は、電流出力素子および電流入力素子を備え、且つ、前記第３のドライブ回路は、前記電流出力素子をドライブする電流出力素子ドライブ回路および前記電流入力素子をドライブする電流入力素子ドライブ回路を備えることを特徴とする容量性負荷駆動回路。
【手続補正８】
【補正対象書類名】明細書
【補正対象項目名】００９１
【補正方法】変更
【補正の内容】
【００９１】
（付記１１）  付記１０に記載の容量性負荷駆動回路において、前記電流出力素子はＰチャンネルのパワーＭＯＳＦＥＴであり、且つ、前記電流入力素子はＮチャンネルのパワーＭＯＳＦＥＴまたはＩＧＢＴであることを特徴とする容量性負荷駆動回路。
【手続補正９】
【補正対象書類名】明細書
【補正対象項目名】００９２
【補正方法】変更
【補正の内容】
【００９２】
（付記１２）  付記１１に記載の容量性負荷駆動回路において、前記電流出力素子ドライブ回路の前段に対して、該電流出力素子ドライブ回路へ供給する駆動信号のフロントエッジを遅延させるフロントエッジ遅延回路と、前記電流出力素子ドライブ回路へ供給する駆動信号のバックエッジを遅延させるバックエッジ遅延回路とを設けたことを特徴とする容量性負荷駆動回路。
【手続補正１０】
【補正対象書類名】明細書
【補正対象項目名】００９３
【補正方法】変更
【補正の内容】
【００９３】
（付記１３）  付記１１に記載の容量性負荷駆動回路において、前記第１のドライブ回路、前記第２のドライブ回路、前記第４のドライブ回路、前記第５のドライブ回路、前記電流出力素子ドライブ回路および前記電流入力素子ドライブ回路の前段に対して、該各ドライブ回路へ供給する駆動信号のフロントエッジを遅延させるフロントエッジ遅延回路と、各ドライブ回路へ供給する駆動信号のバックエッジを遅延させるバックエッジ遅延回路とを設けたことを特徴とする容量性負荷駆動回路。
【手続補正１１】
【補正対象書類名】明細書
【補正対象項目名】００９４
【補正方法】変更
【補正の内容】
【００９４】
（付記１４）  付記６に記載の容量性負荷駆動回路において、
前記フロントエッジ遅延回路は、第１の抵抗および第１の容量をから成る第１の時定数回路を備え、
前記バックエッジ遅延回路は、第２の抵抗および第２の容量から成る第２の時定数回路を備え、
前記第１〜第５のドライブ回路へ供給する駆動制御信号は、前記第１の時定数回路の出力信号および前記第２の時定数回路の出力信号を合成する信号合成回路によって生成されることを特徴とする容量性負荷駆動回路。
（付記１５）  付記１４項に記載の容量性負荷駆動回路において、前記第１の時定数回路および前記第２の時定数回路のいずれか一方、または、両方の前段にバッファ回路を設けたことを特徴とする容量性負荷駆動回路。
【手続補正１２】
【補正対象書類名】明細書
【補正対象項目名】００９５
【補正方法】変更
【補正の内容】
【００９５】
（付記１６）  付記１４に記載の容量性負荷駆動回路において、前記信号合成回路はＡＮＤゲートであることを特徴とする容量性負荷駆動回路。
【手続補正１３】
【補正対象書類名】明細書
【補正対象項目名】００９６
【補正方法】変更
【補正の内容】
【００９６】
（付記１７）  付記１４に記載の容量性負荷駆動回路において、前記第１の時定数回路における前記第１の抵抗の値を調整することによってフロントエッジの遅延時間を調整し、且つ、前記第２の時定数回路における前記第２の抵抗の値を調整することによってバックエッジの遅延時間を調整することを特徴とする容量性負荷駆動回路。
【手続補正１４】
【補正対象書類名】明細書
【補正対象項目名】００９７
【補正方法】変更
【補正の内容】
【００９７】
（付記１８）  付記１４に記載の容量性負荷駆動回路において、前記第１の時定数回路における前記第１の容量の値を調整することによってフロントエッジの遅延時間を調整し、且つ、前記第２の時定数回路における前記第２の容量の値を調整することによってバックエッジの遅延時間を調整することを特徴とする容量性負荷駆動回路。
【手続補正１５】
【補正対象書類名】明細書
【補正対象項目名】００９８
【補正方法】変更
【補正の内容】
【００９８】
（付記１９）  付記６に記載の容量性負荷駆動回路において、前記第１〜第５のドライブ回路の少なくとも１つに、光発光素子，光受光素子および増幅回路を用いて構成されたゲートカプラを適用したことを特徴とする容量性負荷駆動回路。
【手続補正１６】
【補正対象書類名】明細書
【補正対象項目名】００９９
【補正方法】変更
【補正の内容】
【００９９】
（付記２０）  付記１９に記載の容量性負荷駆動回路において、前記第４および第５のドライブ回路に、前記ゲートカプラを適用したことを特徴とする容量性負荷駆動回路。
【手続補正１７】
【補正対象書類名】明細書
【補正対象項目名】０１００
【補正方法】変更
【補正の内容】
【０１００】
（付記２１）  付記１９に記載の容量性負荷駆動回路において、前記第１，第２，第４および第５のドライブ回路に、前記ゲートカプラを適用したことを特徴とする容量性負荷駆動回路。
【手続補正１８】
【補正対象書類名】明細書
【補正対象項目名】０１０１
【補正方法】変更
【補正の内容】
【０１０１】
（付記２２）  複数のＸ電極と、
該複数のＸ電極に略平行に配置され、該複数のＸ電極との間に放電を発生させる複数のＹ電極と、
前記複数のＸ電極に放電電圧を印加するＸ電極駆動回路と、
前記複数のＹ電極に放電電圧を印加するＹ電極駆動回路とを備えるプラズマディスプレイ装置であって、
前記Ｘ電極駆動回路または前記Ｙ電極駆動回路に対して、付記１〜２１のいずれか１項に記載の容量性負荷駆動回路を適用したことを特徴とするプラズマディスプレイ装置。
（付記２３）  付記２２に記載のプラズマディスプレイ装置において、前記容量性負荷駆動回路は、サステイン期間においてサステインパルスをプラズマディスプレイパネルへ供給するサステイン回路であることを特徴とするプラズマディスプレイ装置。
【手続補正１９】
【補正対象書類名】明細書
【補正対象項目名】０１０２
【補正方法】変更
【補正の内容】
【０１０２】
（付記２４）  付記２２に記載のプラズマディスプレイ装置において、前記容量性負荷駆動回路は、スキャン期間においてスキャンパルスをプラズマディスプレイパネルへ供給するスキャン回路であることを特徴とするプラズマディスプレイ装置。
【手続補正２０】
【補正対象書類名】明細書
【補正対象項目名】０１０３
【補正方法】変更
【補正の内容】
【０１０３】
（付記２５）  付記２２に記載のプラズマディスプレイ装置において、前記容量性負荷駆動回路は、サステイン期間におけるサステインパルスおよびスキャン期間におけるスキャンパルスの両方をプラズマディスプレイパネルへ供給するサステイン・スキャン共通回路であることを特徴とするプラズマディスプレイ装置。